(57)【要約】      （修正有）【課題】着用者がおむつを上方に引き上げやすいパンツ型の使い捨ておむつを提供する。【解決手段】パンツ型使い捨ておむつは，着用者の腹部に接する前身頃１と，着用者の背部に接する後身頃２と，これらの間に位置する股下部３とに，長手方向に区分されている。また，パンツ型使い捨ておむつは，前身頃１と後身頃２の左右両側部４を互いに接合することにより，ウエスト開口部５と左右一対のレッグ開口部６が形成される。ここで，前身頃１と後身頃２の両方又はいずれか一方に，おむつの幅方向に延びる一又は複数の湾曲伸縮部材７０が設けられている。この湾曲伸縮部材７０は，少なくとも２箇所以上で，股下部３側に向かって膨らむように湾曲して配置されている。【選択図】図１
2015173778.tif 000002
【特許請求の範囲】
【請求項１】
着用者の腹部に接する前身頃（１）と，着用者の背部に接する後身頃（２）と，前記前身頃（１）と前記後身頃（２）の間に位置する股下部（３）とに，長手方向に区分され，
前記前身頃（１）と前記後身頃（２）の左右両側部（４）を互いに接合することにより，ウエスト開口部（５）と左右一対のレッグ開口部（６）が形成された
パンツ型の使い捨ておむつであって，
前記前身頃（１）と前記後身頃（２）の両方又はいずれか一方には，前記おむつの幅方向に延びる一又は複数の湾曲伸縮部材（７０）が設けられており，
前記湾曲伸縮部材（７０）は，少なくとも２箇所以上で，前記股下部（３）側に向かって膨らむように湾曲して配置されている
パンツ型の使い捨ておむつ。
【請求項２】
前記湾曲伸縮部材（７０）は，
前記幅方向の中央において，前記幅方向と平行に延びる中央平行部分（７１）と，
前記中央平行部分（７１）の左右両側において，前記股下部（３）側に向かって斜めに傾斜する中央寄り傾斜部分（７２，７３）と，
前記中央寄り傾斜部分（７２，７３）の左右外側において，前記幅方向と平行に延びる中間平行部分（７４，７５）と，
前記中間平行部分（７４，７５）の左右外側において，前記ウエスト開口部（５）側に向かって斜めに傾斜する外側寄り傾斜部分（７６，７７）と，
前記外側寄り傾斜部分（７６，７７）の左右外側において，前記幅方向と平行に延びる外側平行部分（７８，７９）と，を有する
請求項１に記載の使い捨ておむつ。
【請求項３】
前記前身頃（１）から前記後身頃（２）に掛けて配置された吸収性本体（３０）をさらに有し，
前記吸収性本体（３０）の前記幅方向の左右両側縁の一部（Ｐ１）は，前記湾曲伸縮部材（７０）の前記中央寄り傾斜部分（７２，７３）と重畳している
請求項１又は請求項２に記載の使い捨ておむつ。
【請求項４】
前記吸収性本体（３０）の前記長手方向の端縁の一部（Ｐ２）は，前記湾曲伸縮部材（７０）の前記中央寄り傾斜部分（７２，７３）と重畳している
請求項３に記載の使い捨ておむつ
【請求項５】
前記湾曲伸縮部材（７０）は複数であり，
前記傾斜部分（７２，７３，７６，７７）における前記複数の湾曲伸縮部材（７０）の間の最も広い間隔（Ｄ１）は，前記平行部分（７１，７４，７５，７８，７９）における前記複数の湾曲伸縮部材（７０）の間の最も広い間隔（Ｄ２）よりも狭くなっている
請求項１から請求項４のいずれかに記載の使い捨ておむつ
【請求項６】
前記湾曲伸縮部材（７０）は，肌対向面側に位置するインナーシート（１１）と，肌非対向面側に位置するアウターシート（１２）の間に介在しており，
前記平行部分（７１，７４，７５，７８，７９）の少なくとも一部は，前記インナーシート（１１）には接合されておらず，前記アウターシート（１２）にのみ接合されている
請求項１から請求項５のいずれかに記載の使い捨ておむつ。
【発明の詳細な説明】
【技術分野】
【０００１】
本発明は，着用者の股下に装着され，尿などの液体を吸収し保持するための使い捨ておむつに関する。具体的に説明すると，本発明は，前身頃と後身頃の左右両側を互いに接合することでパンツ型に成型された使い捨ておむつに関するものである。
【背景技術】
【０００２】
従来から，例えば乳幼児や高齢者用の使い捨てのおむつとして，パンツ型の使い捨ておむつが知られている。パンツ型使い捨ておむつは，前身頃と後身頃の両側部が予め接合されたタイプの使い捨ておむつである。パンツ型使い捨ておむつとしては，吸収性本体を保持するための外装体が前身頃から後身頃に掛けて一体となった一体型や，外装体が前身頃及び後身頃で分離され，前身頃外装体と後身頃外装体の間に吸収性本体が架橋された架橋型が知られている。
【０００３】
パンツ型使い捨ておむつは、一般的に、着用者の腹周りに接するウエスト部分に，複数の弾性伸縮部材が固定されている。これらの複数の弾性伸縮部材は，使い捨ておむつの幅方向に沿った伸長状態で固定されている。このため，弾性伸縮部材が収縮すると，使い捨ておむつのウエスト部分に，細かい皺（ウエストギャザー）が形成される。着用者の腹周りにウエストギャザーを形成することで，使い捨ておむつと着用者の腹部のフィット性を高めることができるため，着用者の動きや排泄物の重さに伴って使い捨ておむつがずれ落ちてしまうことを防止できる。また，ウエストギャザーを形成することで，吸収性本体が着用者の肌に密着するようになるため，尿などの排泄液を吸収性本体によって適切に吸収することが可能となる。
【０００４】
また，使いて捨ておむつのウエスト部分に複数の弾性伸縮部材を配置する際に，この弾性伸縮部材を搖動させて，斜めに傾斜して湾曲した状態で固定する技術が知られている（例えば，特許文献１，特許文献２，及び特許文献３）。
【０００５】
例えば，特許文献１には，股部方向へ膨らむ様に湾曲した下方湾曲ギャザーと，ウエスト部方向へ膨らむ様に湾曲した上方湾曲ギャザーとを，ウエスト部分の両側部において交差させる技術が開示されている。これにより，特許文献１の使い捨ておむつは，ずれ落ちを防止するための優れた締め付け力とフィット性を発揮することができる。
【０００６】
特許文献２には，前身頃の腹部相当個所に横方向に沿って複数本の腹部弾性伸縮部材を設け，この腹部弾性伸縮部材を，幅方向の中央部分において股下側に膨らむように配置する技術が開示されている。特許文献２の使い捨ておむつは，腹部弾性伸縮部材の湾曲部分を吸収性本体に交差させることで，着用者の体形に対するフィット性を向上させて，尿漏れを防止することができる。
【０００７】
特許文献３には，外包材に第１胴部弾性部材と第２胴部弾性部材とを交差させて配置し，この交差部を，使い捨ておむつを着用したときの着用者の大転子の部位に当接するように形成する技術が開示されている。特許文献３の使い捨ておむつによれば，弾性部材の締め付けによって，着用者の脚周りにゴム跡が残ることを軽減し，且つ，体液の漏れとおむつのずれ落ちとを防止することができる。
【先行技術文献】
【特許文献】
【０００８】
【特許文献１】特開平７−２９９０９４号公報
【特許文献２】特開平１０−１２７６８７号公報
【特許文献３】特開平２００９−２２５９７７号公報
【発明の概要】
【発明が解決しようとする課題】
【０００９】
ところで，着用者は，パンツ型使い捨ておむつを装着するときや，着用中におむつが下方にずれてしまったときに，おむつのウエスト開口部の周辺を掴んで，上方に引き上げる動作を行う。このようにして，着用者は，自身の股下部分にパンツ型使い捨ておむつをフィットさせるようにしている。しかしながら，従来の使い捨ておむつは，腹部周りにおいて弾性伸縮部材が幅方向（横方向）に沿って配置されているため，幅方向への伸縮性は高くなっているものの，長手方向（上下方向）への伸縮性は低いものであった。すなわち，従来の使い捨ておむつは，上下方向にほとんど伸縮しないものであるため，着用者が上方に引き上げにくくなっており，また強引に引き上げようとすると，おむつを構成するシート部材が破れたりすることもある。このことは，おむつの履きやすさを損ねる原因の一つとなっていた。
【００１０】
この点，上記した引用文献１〜３に開示された従来の使い捨ておむつのように，おむつの腹周りに配置する弾性伸縮部材を湾曲させることにより，ある程度上下方向への伸縮性を付与することができる。しかしながら，従来の使い捨ておむつは，いずれも，おむつを引き上げやすくすることを目的として弾性伸縮部材を湾曲させたものではない。このため，従来の使い捨ておむつでは，例えば着用者が掴みやすい位置に上下方向への伸縮性を付与することなど，着用者がおむつを引き上げやすくするための構成が検討されていない。また，例えば従来の使い捨ておむつは，上方に向かって膨らむように湾曲した弾性伸縮部材と，下方に向かって膨らむように湾曲した弾性伸縮部材を交差させるなど，フィット性を重視して弾性伸縮部材を配置している。しかし，上方と下方に膨らむ弾性伸縮部材を設けると，上方に引き上げる力だけでなく，下方に引き下げる力も加わるため，却っておむつを上方に引き上げにくくなるというデメリットが生じることもある。
【００１１】
このため，現在では，着用者がおむつを上方に引き上げやすくなるように，腹周りの適所に上下方向への伸縮性が付与されたパンツ型使い捨ておむつが求められている。
【課題を解決するための手段】
【００１２】
そこで，本発明の発明者は，従来の課題を解決する手段について鋭意検討した結果，パンツ型使い捨ておむつの腹周りに配置する弾性伸縮部材を，少なくとも２箇所以上で股下側（下方）に向かって膨らむように湾曲させることとした。このように，弾性伸縮部材を２箇所以上で股下側に向かって膨らむように湾曲させることで，弾性伸縮部材に傾斜部分が形成されることとなり，この傾斜部分によって上下方向への伸縮性がもたらされる。さらに，弾性伸縮部材を２箇所以上で湾曲させることで，少なくとも２箇所の湾曲部分の間に非湾曲部分（平行部分）が形成される。この非湾曲部分（平行部分）は，２箇所の湾曲部分に挟まれていることにより，上下方向への伸縮性が高くなっている。そうすると，着用者は湾曲部分の間に形成された非湾曲部分（平行部分）を掴むことで，おむつ全体を上方に引き上げやすくなる。そして，本発明者は，このような記知見に基づけば，従来技術の課題を解決できることに想到し，本発明を完成させた。具体的に説明すると，本発明は以下の構成を有する。
【００１３】
本発明は，パンツ型の使い捨ておむつに関する。
本発明のパンツ型使い捨ておむつは，着用者の腹部に接する前身頃１と，着用者の背部に接する後身頃２と，これらの間に位置する股下部３とに，長手方向に区分されている。また，パンツ型使い捨ておむつは，前身頃１と後身頃２の左右両側部４を互いに接合することにより，ウエスト開口部５と左右一対のレッグ開口部６が形成される。
ここで，本発明のパンツ型使い捨ておむつは，前身頃１と後身頃２の両方又はいずれか一方に，おむつの幅方向に延びる一又は複数の湾曲伸縮部材７０が設けられている。
そして，この湾曲伸縮部材７０は，少なくとも２箇所以上で，股下部３側に向かって膨らむように湾曲して配置されている。
【００１４】
上記構成のように，湾曲伸縮部材７０を股下部３側に向かって膨らむように湾曲させることで，使い捨ておむつの前身頃１や後身頃２に上下方向の伸縮性が発現する。これにより，おむつの前身頃１や後身頃２が上下に伸びるようになるため，着用者はおむつを掴んで上方に引き上げやすくなる。特に，湾曲伸縮部材７０を２箇所以上で湾曲させることで，この２箇所の湾曲部分の間に非湾曲部分（平行部分）が形成される。この非湾曲部分（平行部分）は，２箇所の湾曲部分に挟まれていることにより，上下方向への伸縮性が高くなっている。そうすると，着用者は，湾曲部分の間に形成された非湾曲部分（平行部分）を掴むことで，おむつ全体を上方に引き上げやすくなる。さらには，この２箇所の湾曲部分の左右外側にも，非湾曲部分（平行部分）が形成されることとなる。この湾曲部分の左右外側の非湾曲部分（平行部分）も上下の伸縮性が高くなっているため，着用者はこの部分を掴んでおむつを引き上げやすいといえる。
【００１５】
本発明において，湾曲伸縮部材７０は，中央平行部分７１と，左右の中央寄り傾斜部分７２，７３と，左右の中間平行部分７４，７５と，左右の外側寄り傾斜部分７６，７７と，左右の外側平行部分７８，７９とを有していることが好ましい。
すなわち，中央平行部分７１は，おむつの幅方向の中央において，幅方向と平行に延びる部分である。
また，左右の中央寄り傾斜部分７２，７３は，中央平行部分７１の左右両側において，股下部３側に向かって斜めに傾斜する部分である。
また，左右の中間平行部分７４，７５は，中央寄り傾斜部分７２，７３の左右外側において，幅方向と平行に延びる部分である。
また，左右の外側寄り傾斜部分７６，７７は，中間平行部分７４，７５の左右外側において，ウエスト開口部５側に向かって斜めに傾斜する部分である。
さらに，左右の外側平行部分７８，７９は，外側寄り傾斜部分７６，７７の左右外側において，幅方向と平行に延びる部分である。
【００１６】
上記構成のように，湾曲伸縮部材７０が，平行部分（７１，７４，７５，７８，７９）と傾斜部分（７２，７３，７６，７７）とを交互に含んで形成されていることで，左右方向の伸縮性と上下方向の伸縮性がバランス良く発揮されることとなる。つまり，平行部分（７１，７４，７５，７８，７９）によって左右方向の伸縮性が付与されているため，使い捨ておむつが着用者の腹周りにフィットする。また，傾斜部分（７２，７３，７６，７７）によって上下方向の伸縮性が付与されているため，使い捨ておむつを左右方向だけでなく，上下方向にも引き伸ばすことができる。特に，中央平行部分７１は，その左右両側に中央寄り傾斜部分７２，７３が形成されている。このため，着用者は，中央平行部分７１を掴んで，おむつを上方に引き上げる易くなる。さらに，外側平行部分７８，７９にも，隣接して外側寄り傾斜部分７６，７７が形成されている。このため，着用者は，外側平行部分７８，７９を掴むことによっても，おむつを上方に簡単に引き上げることができる。特に，おむつの幅方向中央部分（中央平行部分７１）と幅方向外側部分（外側平行部分７８，７９）は，着用者がおむつを引き上げようとしたとき，最も自然に掴みやすい部分であるといえる。このため，これらの着用者が自然に掴みやすい部分に上下方向の伸縮性を付与することで，着用者は，自然な動作によっておむつを上方に引き上げやすくなる。
【００１７】
本発明の使い捨ておむつは，前身頃１から後身頃２に掛けて配置された吸収性本体３０をさらに有する。ここで，吸収性本体３０の幅方向の左右両側縁の一部（Ｐ１）は，湾曲伸縮部材７０の中央寄り傾斜部分７２，７３と重畳していることが好ましい。
【００１８】
上記構成のように，吸収性本体３０の両側縁の一部（Ｐ１）が，湾曲伸縮部材７０の中央寄り傾斜部分７２，７３に重なっていることで，おむつを上方に引き上げたときに，吸収性本体３０がこの引き上げ動作に追従しやすくなる。つまり，おむつが引き上げられたときに，吸収性本体３０も連動して引き上がるため，着用者と吸収性本体３０の間に隙間が生じにくくなる。結果として，尿漏れを効果的に防止できる。
【００１９】
本発明の使い捨ておむつは，さらに，吸収性本体３０の長手方向の端縁の一部（Ｐ２）が，湾曲伸縮部材７０の中央寄り傾斜部分７２，７３と重畳していることが好ましい。
【００２０】
上記構成のように，吸収性本体３０の両側縁の一部（Ｐ１）に加えて，長手方向の端縁の一部（Ｐ２）が，湾曲伸縮部材７０の中央寄り傾斜部分７２，７３と重なっていることで，吸収性本体３０の追従性がより一層向上する。さらに，湾曲伸縮部材７０の中央寄り傾斜部分７２，７３によって吸収性本体３０の角部分を抑えることができるため，この角部分と着用者の身体の間に隙間が生じにくくなり，吸収性本体３０の四隅から尿漏れが発生することを防止できる。
【００２１】
本発明の使い捨ておむつにおいて，湾曲伸縮部材７０の数は，複数であることが好ましい。この場合，傾斜部分（７２，７３，７６，７７）における複数の湾曲伸縮部材７０の間の最も広い間隔（Ｄ１）は，平行部分（７１，７４，７５，７８，７９）における複数の湾曲伸縮部材７０の間の最も広い間隔（Ｄ２）よりも狭くなっていることが好ましい。
【００２２】
上記構成のように，傾斜部分（７２，７３，７６，７７）における間隔（Ｄ１）を，平行部分（７１，７４，７５，７８，７９）における間隔（Ｄ２）よりも狭くすることで，傾斜部分の伸縮応力が高まる。このため，おむつ全体を引き上げやすくなるとともに，おむつを引き上げる際に吸収性本体３０が追従するようになる。また，平行部分における間隔（Ｄ２）を比較的広くすることで，着用者が伸縮部材の間に指を挿し込んで引っ掛けやすくなる。これにより，着用者がおむつを掴みやすくなる。
【００２３】
本発明の使い捨ておむつにおいて，湾曲伸縮部材７０は，肌対向面側に位置するインナーシート１１と，肌非対向面側に位置するアウターシート１２の間に介在している。この場合に，平行部分（７１，７４，７５，７８，７９）の少なくとも一部は，インナーシート１１には接合されておらず，アウターシート１２にのみ接合されていることが好ましい。
【００２４】
上記構成のように，湾曲伸縮部材７０の平行部分（７１，７４，７５，７８，７９）をアウターシート１２にのみ接合に接合させることで，このアウターシート１２側に触れたときに，湾曲伸縮部材７０が指に引っ掛かりやすくなる。その結果，着用者はおむつを掴んで上方に引き上げやすくなる。
【発明の効果】
【００２５】
本発明によれば，着用者がおむつを上方に引き上げやすくなるように，腹周りの適所に上下方向への伸縮性を付与したパンツ型の使い捨ておむつを提供することができる。
【図面の簡単な説明】
【００２６】
【図１】図１は，本発明の一実施形態に係るパンツ型使い捨ておむつを示した全体斜視図である。
【図２】図２は，本発明の一実施形態に係るパンツ型使い捨ておむつを示した平面図である。
【図３】図３は，湾曲伸縮部材を抽出して示した模式図である。
【図４】図４は，湾曲伸縮部材と吸収性本体の関係を概念的に示した模式図である。
【図５】図５は，図２に示したＡ−Ａ線における断面を概念的に示した断面図である。
【図６】図６は，本発明の他の実施形態に係るパンツ型使い捨ておむつを示した平面図である。
【図７】図７は，本発明の他の実施形態に係るパンツ型使い捨ておむつを示した平面図である。
【図８】図８は，本発明の他の実施形態に係るパンツ型使い捨ておむつを示した平面図である。
【発明を実施するための形態】
【００２７】
以下，図面を用いて本発明を実施するための形態について説明する。本発明は，以下に説明する形態に限定されるものではなく，以下の形態から当業者が自明な範囲で適宜修正したものも含む。
本願明細書において，「長手方向」とは，使い捨ておむつの前身頃と後見頃を結ぶ方向である。また，「幅方向」とは，使い捨ておむつの長手方向と平面的に直交する方向である。図中において，「長手方向」はＹ軸で示され，「幅方向」はＸ軸で示されている。
なお，本願明細書において，「Ａ〜Ｂ」とは，「Ａ以上Ｂ以下」であることを意味する。
【００２８】
本発明は，パンツ型の使い捨ておむつであれば，公知のものに広く適用可能である。パンツ型の使い捨ておむつとは，前身頃と後身頃の両側部が予め接合された構成の使い捨ておむつである。例えば，パンツ型の使い捨ておむつは，それぞれ別体として形成された前身頃外装体と後身頃外装体の間に，吸収性本体が架橋された構成を有する架橋タイプのものであってもよい。また，パンツ型の使い捨ておむつは，前身頃から股下部を通って後身頃に掛けて一体的に形成された外装体に，股下部を中心として吸収性本体を固定した一体タイプのものであってもよい。以下では，これらタイプのパンツ型使い捨ておむつのうち，外装体が前身頃から後身頃に掛けて一体的に形成された一体タイプを例に挙げて，本発明の内容を具体的に説明する。
【００２９】
図１は，一実施形態に係るパンツ型使い捨ておむつ１００を前身頃側から見た例を示す斜視図である。また，図２は，使い捨ておむつ１００の例を示す展開図である。図２の展開図に示されるように，使い捨ておむつ１００は，長手方向（Ｙ軸方向）と幅方向（Ｘ軸方向）を有している。使い捨ておむつ１００は，装着された際に，着用者の腹部に接する前身頃１と，着用者の背部に接する後身頃２と，着用者の股下にあてがわれる股下部３に，長手方向に区分される。本実施形態において，使い捨ておむつ１００は，前身頃１から，股下部３を通り，後身頃２に至るまで一体的に形成された外装体１０を備える。そして外装体１０の肌対向面側には，股下部３を中心として，前身頃１と後身頃２に延在するように，吸収性本体３０が配置されている。
【００３０】
図２に示された展開状態から，前身頃１と後身頃２の左右両側部４を互いに重ね合わせた状態で接合する。これにより，前身頃１と後身頃２の左右両端に，サイドシール部が形成される。このように，左右両側部４において，前身頃１と後身頃２を互いに接合することにより，図２に示された展開状態から，図１に示された状態に組み上がる。図１に示されるように，前身頃１の上端縁と後身頃２の上端縁により，ウエスト開口部５が形成される。また，前身頃１と後身頃２の両端両側部４が接合されることにより，装着時に着用者の左右の脚部周りに位置する一対のレッグ開口部６が形成される。このため，着用者は，ウエスト開口部５から両脚部を入れ，各脚部をレッグ開口部６から出すことで，使い捨ておむつ１００を装着することができる。
【００３１】
図１及び図２に示されるように，前身頃１及び後身頃２には，それぞれ，複数の弾性伸縮部材が配置されている。複数の弾性伸縮部材は，基本的に，使い捨ておむつの幅方向（Ｘ軸方向）に伸長した状態で，外装体１０の前身頃１と後身頃２に固定されている。このため，複数の弾性伸縮部材が収縮すると，前身頃１と後身頃２を構成するシート部材（不織布等）に皺が生じてギャザー（ウエストギャザー）を形成する。このように，使い捨ておむつのウエスト部分にギャザーを形成することで，着用者の腹周りに柔軟にフィットするようになる。
【００３２】
具体的に説明すると，外装体１０は，肌対向面側（着用者の肌に対向する面側）に位置するインナーシート１１と，肌非対向面側（着用者の肌に対向しない面側）に位置するアウターシート１２と，を有する。インナーシート１１とアウターシート１２は，互いに重ね合わされて，ホットメルト接着剤などによって接合されている。インナーシート１１とアウターシート１２は，それぞれ，手触りの良い不織布などで構成することが好ましい。そして，インナーシート１１とアウターシート１２の間には，腹周りのウエストギャザーを形成する複数の弾性伸縮部材７０，８１，８２が固定されている。複数の弾性伸縮部材７０，８１，８２は，それぞれ，幅方向（Ｘ方向）に延びており，長手方向（Ｙ方向）に所定間隔を空けて配置されている。このように，外装体１０の前身頃１と後身頃２では，インナーシート１１とアウターシート１２の間に，ウエストギャザーを形成する複数の弾性伸縮部材７０，８１，８２を挟み込んで固定したものであることが好ましい。
【００３３】
具体的に説明すると，符号７０は，湾曲伸縮部材を示している。湾曲伸縮部材７０は，図１及び図２に示されるように，所定の形状に湾曲して配置されている。湾曲伸縮部材７０の詳細は後述する。また，符号８１は，ウエスト伸縮部材８１を示している。ウエスト伸縮部材８１は，使い捨ておむつ１００のウエスト開口部５近傍において，幅方向に沿って直線状に延びて固定されている。また，符号８２は，タミー伸縮部材を示している。タミー伸縮部材８２は，ウエスト伸縮部材８１よりも股下部３寄りの位置（下方側）に配置され，幅方向に沿って直線状に延びて固定されている。
【００３４】
さらに，使い捨ておむつ１００は，脚周りのレッグギャザーを形成する複数のレッグ伸縮部材８３を含んでいてもよい。レッグ伸縮部材８３は，使い捨ておむつ１００のレッグ開口部６の周縁に沿って固定されている。レッグ伸縮部材８３が収縮することで，レッグ開口部６の周縁に皺が生じてギャザー（レッグギャザー）が形成される。
【００３５】
図１及び図２に示した本実施形態において，複数の湾曲伸縮部材７０には，ウエスト伸縮部材８１や，タミー伸縮部材８２が重なっていない。このように，本発明では，複数の湾曲伸縮部材７０に他の伸縮部材が重なっていない形態が，好ましい形態である。
【００３６】
また，外装体１０の肌対向面には，吸収性本体３０が固定される。外装体１０と吸収性本体３０の固定には，ホットメルト接着剤等を用いればよい。吸収性本体３０は，その外形が，矩形状のものであってもよいし，長手方向の中央部分がくびれた砂時計型であってもよい。また，吸収性本体３０の外形は，丸みを帯びていてもよい
【００３７】
また，吸収性本体３０の構成としては，適宜，公知の構成を採用できる。吸収性本体３０は，基本的に，肌対向面側に位置する液透過性のトップシートと，肌非対向面側に位置する液不透過性のバックシートの間に，吸収性材料で構成された吸収体が封入された構造を有する。例えば，トップシートを構成する液透過性材料の例は，織布，不織布，又は多孔性フィルムである。また，例えばポリプロピレンやポリエチレン，ポリエステル，ナイロンのような熱可塑性樹脂の繊維を親水化処理してさらに不織布にしたものを用いることとしてもよい。また，バックシートを構成する液不透過材料の例は，ポリエチレン樹脂からなる液不透過性のフィルムである。特に，０．１〜４μｍの微細な孔が複数形成された微多孔性ポリエチレンフィルムを用いることが好ましい。また，吸収体を構成する吸収性材料としては，例えば，フラッフパルプ，高吸収性ポリマー，又は親水性シートを用いることができる。また，吸収性材料には，フラッフパルプ，高吸収性ポリマー，又は親水性シートのうち１種類を単独で用いてもよいし，２種類以上を併用することとしてもよい。
【００３８】
ここで，図１及び図２に示されるように，本発明の使い捨ておむつ１００には，所定形状に湾曲するようにして外装体１０に固定された湾曲伸縮部材７０が含まれる。湾曲伸縮部材７０は，前身頃１と後身頃２の両方に設けられていることが好ましい。ただし，湾曲伸縮部材７０は，前身頃１と後身頃２のいずれか一方に設けられていてもよい。湾曲伸縮部材７０は，前身頃１と後身頃２のそれぞれに複数本ずつ設けられていることが好ましい。ただし，湾曲伸縮部材７０は，前身頃１と後身頃２に一本設けられたものであってもよい。
【００３９】
また，図３と図４は，湾曲伸縮部材７０の構造的な特徴を示したものである。図３は，湾曲伸縮部材７０のみを抽出して模式的に示した図であり，図４は，湾曲伸縮部材７０と吸収性本体３０を抽出して模式的に示した図である。図２〜図４に示されるように，本実施形態において，複数の湾曲伸縮部材７０は，それぞれ，少なくとも２箇所において，股下部３側に向かって膨らむように湾曲した形状で配置されている。すなわち，「股下部側に向かって膨らむように湾曲する」とは，湾曲伸縮部材７０が，股下部３側に向かって凸となる（突出する）ように湾曲していることを意味する。図２等に示されるように，本実施形態において，湾曲伸縮部材７０は，左側の湾曲部分７０ａと右側の湾曲部分７０ｂの合計２箇所の湾曲部分を含むものである。
【００４０】
具体的に説明すると，図３に示されるように，湾曲伸縮部材７０は，複数の平行部分（７１，７４，７５，７８，７９）と，複数の傾斜部分（７２，７３，７６，７７）と，を有する。平行部分は，使い捨ておむつの幅方向（Ｘ軸）と略平行となっている部分である。また，傾斜部分は，使い捨ておむつの幅方向（Ｘ軸）に対して所定角度で傾斜している部分である。図３に示されるように，平行部分と傾斜部分は，交互に形成されている。
【００４１】
すなわち，複数の湾曲伸縮部材７０は，それぞれ，中央平行部分７１と，左右の中央寄り傾斜部分７２，７３と，左右の中間平行部分７４，７５と，左右の外側寄り傾斜部分７６，７７と，左右の外側平行部分７８，７９とを有する。中央平行部分７１は，幅方向の中央において，幅方向と平行に延びる部分である。また，左右の中央寄り傾斜部分７２，７３は，中央平行部分７１の左右両側において，股下部３側に向かって斜めに傾斜する部分である。また，左右の中間平行部分７４，７５は，中央寄り傾斜部分７２，７３の左右外側において，幅方向と平行に延びる部分である。また，左右の外側寄り傾斜部分７６，７７は，中間平行部分７４，７５の左右外側において，ウエスト開口部５側に向かって斜めに傾斜する部分である。さらに，左右の外側平行部分７８，７９は，外側寄り傾斜部分７６，７７の左右外側において，幅方向と平行に延びる部分である。
【００４２】
このように，複数の平行部分（７１，７４，７５，７８，７９）と複数の傾斜部分（７２，７３，７６，７７）とが交互に形成されることで，湾曲伸縮部材７０は，２箇所において，股下部３側に向かって膨らむように湾曲した形状となる。つまり，左側の湾曲部分７０ａは，左側の中央寄り傾斜部分７２と，左側の中間平行部分７４と，左側の外側寄り傾斜部分７６によって構成されている。また，右側の湾曲部分７０ｂは，右側の中央寄り傾斜部分７３と，右側の中間平行部分７５と，右側の外側寄り傾斜部分７７とによって構成されている。
【００４３】
このように，湾曲伸縮部材７０を湾曲させるためには，各伸縮部材を外装体１０に固定する際に，搖動させればよい。ここでは，幅方向と平行に配置されている弾性伸縮部材を，一度傾斜させて，もう一度幅方向と平行に配置する操作を，「揺動」という。図３では，湾曲伸縮部材７０を配置する際の進行方向が矢印で示されている。図３に示されるように，湾曲伸縮部材７０は，図中左側から始まって右側に至るように，外装体に対して固定される。
【００４４】
湾曲伸縮部材７０は，まず，左側の外側平行部分７８において幅方向と平行に配置され，左側の外側寄り傾斜部分７６において股下部３側（下方）に向かって傾斜して配置され，その後，左側の中間平行部分７４においてもう一度幅方向と平行に配置される。これが，一度目の揺動操作となる。続いて，湾曲伸縮部材７０は，左側の中間平行部分７４において幅方向と平行になった後，左側の中央寄り傾斜部分７２においてウエスト開口部５側（上方）に向かって傾斜して配置され，その後，中央平行部分７１においてもう一度幅方向と平行に配置される。これが，二度目の揺動操作となる。また，湾曲伸縮部材７０は，中央平行部分７１において幅方向と平行に配置され，右側の中央寄り傾斜部分７３において股下部３側（下方）に向かって傾斜して配置され，その後，右側の中間平行部分７５においてもう一度幅方向と平行に配置される。これが，三度目の揺動操作となる。さらに，湾曲伸縮部材７０は，右側の中間平行部分７５において幅方向と平行になった後，右側の外側寄り傾斜部分７７においてウエスト開口部５側（上方）に向かって傾斜して配置され，その後，外側平行部分７９においてもう一度幅方向と平行に配置される。これが，四度目の揺動操作となる。このように，本実施形態では，各湾曲伸縮部材７０につき，左側の外側平行部分７８から右側の外側平行部分７９に至るまでの間に，四度の揺動操作が行われる。これにより，湾曲伸縮部材７０は，２箇所の湾曲部分７０ａ，７０ｂを含むように湾曲される。
【００４５】
このように，湾曲伸縮部材７０を２箇所以上で湾曲させることで，この２箇所の湾曲部分７０ａ，７０ｂの間に，幅方向に平行な中央平行部分７１が形成される。この中央平行部分７１は，２箇所の湾曲部分７０ａ，７０ｂに挟まれているため，上下方向への伸縮性が高くなっている。そうすると，着用者は，この中央平行部分７１を掴むことで，おむつ全体を上方に引き上げやすくなる。さらには，２箇所の湾曲部分７０ａ，７０ｂの左右外側にも，幅方向に平行な外側平行部分７８，７９が形成される。この外側平行部分７８，７９も上下の伸縮性が高くなっているため，着用者はこの部分を掴んでおむつを引き上げやすいといえる。これらの中央平行部分７１と外側平行部分７８，７９は，着用者がおむつを引き上げようとしたとき，最も自然に掴みやすい部分であるといえる。このため，これらの着用者が自然に掴みやすい部分に上下方向の伸縮性を付与することで，着用者は，自然な動作によっておむつを上方に引き上げやすくなる。
【００４６】
さらに，中央寄り傾斜部分７２，７３と外側寄り傾斜部分７６，７７の間にも，幅方向に平行な中間平行部分７４，７５が形成されている。これにより，湾曲伸縮部材７０は，平行部分（７１，７４，７５，７８，７９）と傾斜部分（７２，７３，７６，７７）とを交互に含むこととなる。そうすると，湾曲伸縮部材７０によって，左右方向の伸縮性と上下方向の伸縮性がバランス良く発揮される。つまり，平行部分（７１，７４，７５，７８，７９）によって左右方向の伸縮性が付与されているため，使い捨ておむつが着用者の腹周りにフィットする。また，傾斜部分（７２，７３，７６，７７）によって上下方向の伸縮性が付与されているため，使い捨ておむつを左右方向だけでなく，上下方向にも引き伸ばすことができる。このように，左右方向の伸縮性と上下方向の伸縮性のバランスをとることで，おむつのフィット性を損なわずに，おむつを上方に引き上げやすくしている。
【００４７】
図３において，中央平行部分７１の幅方向（Ｘ軸方向）の長さを，符号Ｌで示している。中央平行部分７１の長さＬは，着用者が少なくとも片手で掴むことのできる長さであることが好ましい。例えば，長さＬは，３０ｍｍ〜１８０ｍｍ，５０ｍｍ〜１５０ｍｍ，又は８０ｍｍ〜１２０ｍｍであることが好ましく，特に１００ｍｍ以上であることが好ましい。中央平行部分７１の長さＬが１００ｍｍ以上であると，着用者は両手の指（親指を除いた８本の指）を中央平行部分７１に引っ掛けることも可能となるため，容易におむつを上方に引き上げることができる。
【００４８】
その他，中間平行部分７４，７５や外側平行部分７８，７９の幅方向の長さも，上記中央平行部分７１と同様に設定することができる。また，中間平行部分７４，７５や外側平行部分７８，７９の長さは，中央平行部分７１の長さＬ１よりも短く設定されていてもよい。例えば，中間平行部分７４，７５や外側平行部分７８，７９の長さは，中央平行部分７１の長さＬ１に対して４０％〜８０％の範囲内とすればよい。
【００４９】
また，湾曲伸縮部材７０の平行部分は，ウエスト開口部５側に位置する中央平行部分７１，外側平行部分７８，７９と，股下３側に位置する中間平行部分７４，７５とに分けることができる。このとき，中央平行部分７１と左右の外側平行部分７８，７９を合わせた長さは，左右の中間平行部分７４，７５を合わせた長さよりも長いことが好ましい。例えば，左右の中間平行部分７４，７５を合わせた長さを１００％としたときに，中央平行部分７１と左右の外側平行部分７８，７９を合わせた長さは，１２０％〜３００％，１５０％〜２５０％程度であることが好ましい。これより，着用者が最も掴みやすいウエスト開口部５側に位置する平行部分（中央平行部分７１と外側平行部分７８，７９）の長さを確保することができる。
【００５０】
また，図３において，傾斜部分（７２，７３，７６，７７）の傾斜角度を，符号θで示している。傾斜部分（７２，７３，７６，７７）の傾斜角度は，それぞれ異なっていてもよいが，ここでは，各傾斜部分の角度が統一されている場合を例に挙げて説明する。傾斜部分の角度θは，例えば，２０度〜９０度，又は３０度〜６０度の範囲で設定することができ，特に４０度〜５０度，又は約４５度（±３度）であることが好ましい。特に，傾斜部分の角度θを４０度〜５０度の範囲とすることで，左右方向の伸長性と上下方向の伸長性のバランスを良くすることができる。
【００５１】
また，図４には，複数の湾曲伸縮部材７０と吸収性本体３０の関連性が示されている。図４は，湾曲伸縮部材７０と吸収性本体３０の関連性を分かり易くするために，多少誇張して図示している。図４に示されるように，前身頃１と後身頃２のそれぞれに，複数の湾曲伸縮部材７０が配置されている。また，前身頃１から後身頃２に掛けて，吸収性本体３０が配置されている。図示された実施形態において，吸収性本体３０の外形は，矩形状となっている。
【００５２】
図４に示されるように，吸収性本体３０の幅方向左右の両側縁は，点Ｐ１において，湾曲伸縮部材７０の中央寄り傾斜部分７２，７３と重畳している。これにより，湾曲伸縮部材７０の中央寄り傾斜部分７２，７３によって，吸収性本体３０の側縁を抑えることができる。従って，吸収性本体３０と着用者の身体のフィット性が向上する。また，吸収性本体３０が中央寄り傾斜部分７２，７３と重なっていることで，おむつを上方に引き上げたときに，吸収性本体３０がこの引き上げ動作に追従しやすくなる。さらに，本実施形態において，吸収性本体３０の長手方向の端縁は，点Ｐ２において，湾曲伸縮部材７０の中央寄り傾斜部分７２，７３と重畳している。これにより，湾曲伸縮部材７０の中央寄り傾斜部分７２，７３によって，吸収性本体３０の角部分を抑えることができる。従って，吸収性本体３０の追従性とフィット性がさらに向上する。
なお，図示された例では，吸収性本体３０は矩形状となっているが，吸収性本体３０は，その他に砂時計型やひょうたん型などであってもよい。
【００５３】
また，図４では，複数の湾曲伸縮部材７０の間の間隔のうち，傾斜部分（７２，７３，７６，７７）の間隔が，符号Ｄ１で示されている。傾斜部分同士の間隔はそれぞれ異なっていてもよいが，ここでは傾斜部分同士の間隔が統一されている場合を例に挙げて説明する。なお，傾斜部分同士の間隔がそれぞれ異なっていている場合，間隔Ｄ１は，傾斜部分同士の間隔のうち，最も広い間隔を意味する。他方，図４では，複数の湾曲伸縮部材７０の間の間隔のうち，平行部分（７２，７３，７６，７７）の間隔が，符号Ｄ２で示されている。平行部分同士の間隔はそれぞれ異なっていてもよいが，ここでは平行部分同士の間隔が統一されている場合を例に挙げて説明する。なお，平行部分同士の間隔がそれぞれ異なっていている場合，間隔Ｄ２は，平行部分同士の間隔のうち，最も広い間隔を意味する。
【００５４】
ここで，傾斜部分の間隔Ｄ１は，平行部分の間隔Ｄ２よりも狭いものであることが好ましい（Ｄ１＜Ｄ２）。傾斜部分の間隔Ｄ１が狭いということは，複数の湾曲伸縮部材７０の束は，傾斜部分において，その伸長応力が強くなっていることを意味する。このように，傾斜部分における伸長応力を高めることで，おむつの引き上げ動作によって傾斜部分が伸長した後，傾斜部分は強く収縮することとなるため，おむつ全体を上方に引き上げやすくなる。例えば，傾斜部分の間隔Ｄ１の間隔は，１０ｍｍ未満であることが好ましく，１ｍｍ〜９．５ｍｍ，２ｍｍ〜６ｍｍ，又は３ｍｍ〜５ｍｍ程度であることが好ましい。
【００５５】
他方，平行部分の間隔Ｄ２が，傾斜部分の間隔Ｄ１より広いことにより，着用者は，この複数の弾性伸縮部材７０の傾斜部分の間に指を挿し込んで引っ掛けやすくなる。例えば，平行部分の間隔Ｄ２は，１０ｍｍ以上であることが好ましい。例えば，平行部分の間隔Ｄ２は，５ｍｍ〜２０ｍｍ，又は１０ｍｍ〜１５ｍｍ程度であることが好ましい。着用者は，複数の弾性伸縮部材７０の傾斜部分の間に指を挿し込むことで，おむつを掴んで上方に引き上げやすくなる。
【００５６】
また，図４に示されるように，湾曲伸縮部材７０の中央平行部分７１は，吸収性本体３０と重なっていないことが好ましい。つまり，湾曲伸縮部材７０の中央平行部分７１は，吸収性本体３０の長手方向端縁よりも，ウエスト開口部５側（上方側）に位置していることが好ましい。中央平行部分７１が吸収性本体３０に重なると，この中央平行部分７１が収縮したときに，吸収性本体３０を幅方向に縮めることとなり，吸収性本体３０に歪みが発生する恐れがあるためである。なお，湾曲伸縮部材７０の中央平行部分７１を，吸収性本体３０に重ねる必要がある場合には，この重なる領域において中央平行部分７１を切断し，中央平行部分７１に伸縮性を発現させなければよい。ただし，その場合，湾曲伸縮部材７０全体をみると，横方向の伸縮性が低下することとなる。このため，湾曲伸縮部材７０の中央平行部分７１は，吸収性本体３０の長手方向端縁よりも，ウエスト開口部５側（上方側）に位置していることが好ましい形態となる。
【００５７】
図５は，本発明の好ましい実施形態に係る使い捨ておむつの一部の断面を示している。具体的には，図５は，図２の展開図に示したＡ−Ａ線における断面図であり，特に湾曲伸縮部材７０の中央平行部分７１の断面を示している。図５に示されるように，使い捨ておむつ１００の外装体１０は，肌対向面側に位置するインナーシート１１と肌非対向面側に位置するアウターシート１２とを貼り合わせて構成されている。また，図５に示されるように，アウターシート１２は，ウエスト開口部５に相当する端縁において折り返して，インナーシート１１の肌対向面側を覆うものであってもよい。
【００５８】
図５に示した実施形態において，複数の湾曲伸縮部材７０は，上下方向（長手方向）に間隔をおいて，インナーシート１１とアウターシート１２の間に介在している。ここで，複数の湾曲伸縮部材７０は，インナーシート１１には直接接合されておらず，アウターシート１２にのみ接合されている。これにより，湾曲伸縮部材７０は，実質的にインナーシート１１から乖離した状態となっている。このように，湾曲伸縮部材７０をアウターシート１２にのみ接合することで，着用者は湾曲伸縮部材７０に指を掛けやすくなる
【００５９】
さらに，図５に示した例において，インナーシート１１とアウターシート１２は，複数の湾曲伸縮部材７０が配置される領域において，上下方向（長手方向）に沿って，接合部９１と非接合部９２が交互に形成されている。接合部９１は，インナーシート１１とアウターシート１２を接合する部分である。接合部９１は，ヒートシールや超音波シールによってシート部材を融着させた部分であってもよいし，ホットメルト接着剤によってシート部材を接着した部分であってもよい。他方，非接合部９２は，インナーシート１１とアウターシート１２が接合されていない部分である。ここで，接合部９１は，複数の湾曲伸縮部材７０同士の間に形成されている。言い換えると，複数の湾曲伸縮部材７０は，非接合部９２において，アウターシート１２に接合されている。このように，インナーシート１１とアウターシート１２を間欠的に接合しつつ，インナーシート１１とアウターシート１２とが接合されていない箇所において，湾曲伸縮部材７０をアウターシート１２に接合する。これにより，図５に示されるように，湾曲伸縮部材７０が配置された箇所において，アウターシート１２が肌非対向面側に向かって突出するようになる。そうすると，着用者は，アウターシート１２の突出部分に指を掛けて，おむつ全体を引き上げやすくなる。また，図５に示した実施形態では，アウターシート１２に弛み（余り部分）が存在するため，アウターシート１２を強く引っ張っても破れにくくなっている。この点からも，着用者はアウターシート１２を掴みやすくなる。
【００６０】
このようなアウターシート１２の突出部分は，湾曲伸縮部材７０のうちの平行部分（７１，７４，７５，７８，７９）を利用して形成することがこの好ましい。上述したとおり，湾曲伸縮部材７０の平行部分，具体的には中央平行部分７１，中間平行部分７４，７５，及び外側平行部分７８，７９は，着用者が指を掛けやすくなっている部分である。このため，この平行部分（７１，７４，７５，７８，７９）において，上記した図５の構造を採用し，アウターシート１２に突出部分を形成することが好ましい。
【００６１】
図６は，図２に示した実施形態とは異なる実施形態に係る使い捨ておむつを示した展開図である。図６の実施形態は，図２の実施形態とは異なり，複数の湾曲伸縮部材７０に，複数のタミー伸縮部材８２が重なって配置されている。つまり，使い捨ておむつ１００に，湾曲伸縮部材７０とタミー伸縮部材８２が交差する部分が含まれる。このように，複数の湾曲伸縮部材７０と複数のタミー伸縮部材８２とは，重なって配置されていてもよい。
【００６２】
図７は，さらに別の実施形態に係る使い捨ておむつを示した展開図である。図７に示した実施形態は，図２の実施形態とは異なり，後身頃２に配置された複数の湾曲伸縮部材７０のみが，２箇所の湾曲部分７０ａ，７０ｂを有している。他方，前身頃１に配置された複数の湾曲伸縮部材７０は，中央の１箇所にのみ湾曲部分７０ｃを有している。
他方，図８は，さらに別の実施形態に係る使い捨ておむつを示している。図８では，図７とは対照的に，前身頃１に配置された複数の湾曲伸縮部材７０のみが，２箇所の湾曲部分７０ａ，７０ｂを有している。他方，後身頃２に配置された複数の湾曲伸縮部材７０は，中央の１箇所にのみ湾曲部分７０ｃを有している。
このように，本発明の使い捨ておむつ１００においては，少なくとも前身頃１と後身頃２のいずれか一方において，湾曲伸縮部材７０が２箇所の湾曲部分７０ａ，７０ｂを有していればよい。
【００６３】
その他，湾曲伸縮部材７０を構成する部材としては，伸縮性を有する公知の部材を用いることができる。例えば，湾曲伸縮部材７０としては，糸状や平状の弾性ゴムを用いることができる。このようなゴム材としては，スチレン系ゴム，オレフィン系ゴム，ウレタン系ゴム，エステル系ゴム，ポリウレタン，ポリエチレン，ポリスチレン，スチレンブタジエン，シリコーン，ポリエステル等の素材を用いることができる。また，湾曲伸縮部材７０としては，シート状の伸縮フィルム，網目状の伸縮部材，伸縮性不織布など，伸縮性を有する部材を適宜採用することができる。
【００６４】
また，本発明は，使い捨ておむつの掴みやすさを向上させることを目的の一つとしたものであるため，例えば，掴みやすい部分に着色などを施して，着用者が掴む部分を意識しやすくすることとしてもよい。例えば，複数の湾曲伸縮部材７０の全体に着色を施して，他の伸縮部材８１，８２，８３と差別化してもよい。また，湾曲伸縮部材７０のうち，中央平行部分７１と左右の外側平行部分７８，７９自体やその周囲に着色を施して，この部分が掴みやすい部分であることを，着用者にアピールすることとしてもよい。
【００６５】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【００６６】
例えば，上記した実施形態では，湾曲伸縮部材７０が２箇所で股下部３側に向かって膨らむように湾曲していることを説明した。ただし，湾曲伸縮部材７０は，例えば３箇所，４箇所，又は５箇所以上で，股下部３側に向かって膨らむように湾曲していてもよい。
【００６７】
また，上記した実施形態では，湾曲伸縮部材７０に中間平行部分７４，７５が形成されていることが好ましいことを説明した。ただし，湾曲伸縮部材７０に中間平行部分７４，７５が形成されていなくてもよい。例えば，湾曲伸縮部材７０は，中間平行部分７４，７５に相当する位置において，湾曲伸縮部材７０は円弧状にカーブ（湾曲）していてもよいし蛇行していてもよい。例えば，湾曲伸縮部材７０は，中央寄り傾斜部分７２，７３と外側寄り傾斜部分７６，７７とを円弧状部分によって繋いた形状であってもよい。
【産業上の利用可能性】
【００６８】
本発明は，乳幼児用や高齢者用のパンツ型使い捨ておむつに関する。従って，本発明は，使い捨ておむつの製造業において好適に利用し得る。
【符号の説明】
【００６９】
１…前身頃                        ２…後身頃
３…股下部                        ４…左右両側部
５…ウエスト開口部                ６…レッグ開口部
１０…外装体                      １１…インナーシート
１２…アウターシート              ３０…吸収性本体
７０…湾曲伸縮部材                ７０ａ…湾曲部分（左）
７０ｂ…湾曲部分（右）            ７１…中央平行部分
７２…中央寄り傾斜部分（左）      ７３…中央寄り傾斜部分（右）
７４…中間平行部分（左）          ７５…中間平行部分（右）
７６…外側寄り傾斜部分（左）      ７７…外側寄り傾斜部分（右）
７８…外側平行部分（左）          ７９…外側平行部分（右）
８１…ウエスト伸縮部材            ８２…タミー伸縮部材
８３…レッグ伸縮部材              ９１…接合部
９２…非接合部                    １００…使い捨ておむつ
【図１】
2015173778.tif 000003
【図２】
2015173778.tif 000004
【図３】
2015173778.tif 000005
【図４】
2015173778.tif 000006
【図５】
2015173778.tif 000007
【図６】
2015173778.tif 000008
【図７】
2015173778.tif 000009
【図８】
2015173778.tif 000010